(57)【要約】【課題】本体上面の吸込口に備えた吸込グリルを上方に回動させ、または前方にスライドさせてエアフィルタを円滑に挿脱できるようにすると共に、吸込グリルの裏面に連続形成されたフィルタガイド部に挿入したエアフィルタを容易に、且つ正確に位置決めして保持できるようにした空気調和機を提供する。【解決手段】本体上面の吸込口に備えた吸込グリル８の裏面に、前端側を拡開してエアフィルタ９を挿脱する挿脱口８ａを備え、前記エアフィルタ９に設けられた凸部９ａが係脱可能に係合する凹状の係合部８ｂを備えたフィルタガイド部８ｃが形成されてなる構成にした。【選択図】　図６
2004138310.tif 000002
【特許請求の範囲】
【請求項１】
熱交換機器および送風ファンを支持したベースと、同ベースの前面上部に設けられ、吸込桟を備えた後面部と、ガイド部により吸込グリルが前後にスライド可能に、または後端部両側に設けられた枢支部により回動可能に装着される吸込口を備えた前面部とからなる上面パネルと、前記吸込グリルおよび前記上面パネルの裏面側に着脱可能に装着されたエアフィルタと、前記ベースの前面下部に設けられ、吹出口を備えた下面パネルとで構成され、
前記吸込グリルの裏面に、前端側を拡開して前記エアフィルタを挿脱する挿脱口を備え、前記エアフィルタに設けられた凸部が係脱可能に係合する凹状の係合部を備えたフィルタガイド部が形成されてなることを特徴とする空気調和機。
【請求項２】
前記凸部が円柱状に形成される一方、前記係合部が前記フィルタガイド部に連続形成され、弾性変形しながら前記凸部に係合する係合片からなることを特徴とする請求項１に記載の空気調和機。
【請求項３】
前記係合片が、前記凸部の外周面に対応して曲面状に形成されてなることを特徴とする請求項２に記載の空気調和機。
【請求項４】
前記係合片が、前記凸部に圧接するように形成されてなることを特徴とする請求項２または請求項３に記載の空気調和機。
【発明の詳細な説明】
【０００１】
【発明の属する技術分野】
本発明は、空気調和機に係わり、より詳細には、本体上面の吸込口に備えた吸込グリルを上方に回動させ、または前方にスライドさせてエアフィルタを円滑に挿脱できるようにすると共に、吸込グリルの裏面に連続形成されたフィルタガイド部に挿入したエアフィルタを容易に、且つ正確に位置決めして保持できるようにした構造に関する。
【０００２】
【従来の技術】
従来の空気調和機には、被調和室内の空気を取り込む吸込パネル、この空気に含まれる粉塵を取り除くエアフィルタ、このエアフィルタを着脱自在に保持すると共に昇降自在に駆動する昇降着脱機構、エアフィルタで粉塵を除去された空気を調温／調湿する熱交換器、この調温／調湿された空気を被調和室へ吹出口を介して供給する送風ファンを備えた空気調和機において、昇降着脱機構の裏面にエアフィルタからの空気の温度等を検出するセンサー部を着脱自在に備えた構成でなる発明が開示されていた（例えば、特許文献１参照。）。
【０００３】
上記構成でなる発明は、例えば特開平８−２８５３１８号公報で開示されているように、空気調和機の吸込パネルの内部に着脱自在にエアフィルタを備え、更にその吸込パネルの上下方向にラックを設けると共に室内機の本体にラックと噛み合うピニオン及びこのピニオンを回転駆動するモータを設けることにより、エアフィルタが汚れたときには、吸込パネルを下部に降下してエアフィルタを着脱／清掃することができる一方、吸込パネルを昇降する構造となっているため、空気の温度等を検出するセンサー部が別に設けていたという点を考慮して、エアフィルタを安全、容易に清掃できるようにする昇降着脱機構を備えると共にこの昇降着脱機構に制御性の良いセンサー部を備えたものであった。
【０００４】
しかしながら、図８で示すように、例えば本体の上下寸法を抑え、上面に設けた吸込口５ａに着脱可能に装着された吸込グリル（吸込パネル）８の裏面にエアフィルタ９が着脱可能に取り付けられた所謂シーリングウォール型の空気調和機においては、上記昇降着脱機構や上記センサー部を設けることなく、手作業により前記吸込グリル（吸込パネル）８を取り外して前記吸込口５ａを開放することにより、前記エアフィルタ９を容易に、且つ正確に着脱できるようにすることが望まれていた。
【０００５】
すなわち、図８で示すような上記シーリングウォール型の空気調和機は、被空調室の天井面に吊下げ設置されたり、または、壁面に据付け設置されるように構成されていることから、例えば前記エアフィルタ９の清掃時には、被空調室の天井面に近接する前記吸込グリル（吸込パネル）８を取り外す必要があるため作業性が悪くなってしまったり、または、前記エアフィルタ９が嵌め合いによって前記上面パネル６に着脱されるようになっている場合には、嵌め合い箇所も多いことから着脱することが困難であるという問題点を有していた。
【０００６】
【特許文献１】
特開２００１−３３６８１２号公報（第５頁、第２図）
【０００７】
【発明が解決しようとする課題】
本発明においては、上記の問題点に鑑み、本体上面の吸込口に備えた吸込グリルを上方に回動させ、または前方にスライドさせてエアフィルタを円滑に挿脱できるようにすると共に、吸込グリルの裏面に連続形成されたフィルタガイド部に挿入したエアフィルタを容易に、且つ正確に位置決めして保持できるようにした空気調和機を提供することを目的とする。
【０００８】
【課題を解決するための手段】
本発明は、上記課題を解決するため、熱交換機器および送風ファンを支持したベースと、同ベースの前面上部に設けられ、吸込桟を備えた後面部と、ガイド部により吸込グリルが前後にスライド可能に、または後端部両側に設けられた枢支部により回動可能に装着される吸込口を備えた前面部とからなる上面パネルと、前記吸込グリルおよび前記上面パネルの裏面側に着脱可能に装着されたエアフィルタと、前記ベースの前面下部に設けられ、吹出口を備えた下面パネルとで構成され、
前記吸込グリルの裏面に、前端側を拡開して前記エアフィルタを挿脱する挿脱口を備え、前記エアフィルタに設けられた凸部が係脱可能に係合する凹状の係合部を備えたフィルタガイド部が形成されてなる構成となっている。
【０００９】
また、前記凸部が円柱状に形成される一方、前記係合部が前記フィルタガイド部に連続形成され、弾性変形しながら前記凸部に係合する係合片からなる構成となっている。
【００１０】
また、前記係合片が、前記凸部の外周面に対応して曲面状に形成されてなる構成となっている。
【００１１】
更に、前記係合片が、前記凸部に圧接するように形成されてなる構成となっている。
【００１２】
【発明の実施の形態】
以下、本発明の実施の形態を図面に基づいた実施例として詳細に説明する。
図１は本発明による空気調和機の断面図で、（Ａ）は吸込グリルを装着した状態を、（Ｂ）は吸込グリルを前方にスライドさせた状態を夫々示し、図２は本発明による空気調和機の斜視図で、（Ａ）は吸込グリルを装着した状態を、（Ｂ）は吸込グリルを前方にスライドさせた状態を、（Ｃ）はフィルタを取り出す状態を夫々示し、図３は本発明による空気調和機の要部分解斜視図であり、図４は本発明による空気調和機の吸込グリルを上方に回動した状態を示す斜視図であり、図５は上方に回動した吸込グリルの要部斜視図であり、図６はエアフィルタを取り付けた状態を示す吸込グリルの説明図で、（Ａ）は背面側斜視図、（Ｂ）は（Ａ）で示すＤ部の拡大図であり、図７は吸込グリルの背面側斜視図である。
【００１３】
本発明による空気調和機は、図１（Ａ）および図１（Ｂ）で示すように、熱交換機器１および送風ファン２を支持したベース３の前面上部に、吸込桟４ａを備えた後面部４と、ガイド部７により吸込グリル８が前後にスライド可能に、且つ着脱可能に装着される吸込口５ａを備えた前面部５とからなる上面パネル６を装着すると共に、同上面パネル６の裏面側にエアフィルタ９を着脱可能に装着し、且つ前記ベース３の前面下部には、吹出口１０を備えた下面パネル１１を装着してなり、前記吸込口５ａから吸い込まれ前記熱交換機器１によって熱交換された空気を、前記送風ファン２により前記吹出口１０から被空調室へ吹き出すようにしていた。
【００１４】
このタイプの空気調和機は、被空調室の天井面に吊下げ設置されたり、または、壁面に据付け設置されるように構成された所謂シーリングウオールタイプと呼ばれるものであって、例えばメンテナンス時には、被空調室の天井面に近接した前記吸込グリル８を取り外すことなく、前記エアフィルタ９を容易に取り外せるようにすることが望まれていた。
【００１５】
そこで、本発明における前記吸込グリル８は、図１（Ａ）の矢印Ａおよび図４で示すように、同吸込グリル８の後端部両側を枢支する枢支部Ａ’により回動可能に装着されると共に、前記エアフィルタ９が、開放された前記吸込口５ａから挿脱されるようにした構成となっている。
【００１６】
その際、前記吸込グリル８は、図１（Ａ）で示すように、前端部を下方に傾斜させた前記上面パネル６の前部に装着されているので、上部の空間を大きく占有しないで前記吸込口５ａを効果的に開放するように回動できる。
【００１７】
または、本発明における前記吸込グリル８は、図１（Ｂ）の矢印Ｂと、図２（Ａ）乃至図２（Ｃ）と、図３とで示すように、前記上面パネル６の吸込口５ａにガイド部７により前後にスライド可能に装着されると共に、前記エアフィルタ９が、前方にスライドさせた前記吸込グリル８の前端下部から挿脱されるようにしてもよい。
【００１８】
その場合、図３で示すように、前記吸込桟４ａの背面および前記吸込口５ａに、前後に延びてこれらを左右に区画する区画桟１２を設けると共に、前記吸込グリル８と、前記ガイド部７と、前記エアフィルタ９とが前記区画桟１２を介して左右に分割形成された構成となっており、前記ガイド部７は、前記吸込桟４ａの背面側および前記吸込口５ａに夫々設けられたレール１３と、同レール１３に対応して前記吸込グリル８の両側部に設けられたガイド片１４とからなる構成となっている。
【００１９】
そして、前記吸込グリル８の裏面には、図５と、図６（Ａ）および図６（Ｂ）と、図７とで示すように、前端側を拡開して前記エアフィルタ９を挿脱する挿脱口８ａを備え、前記エアフィルタ９に設けられた円柱状の凸部９ａが係脱可能に係合する凹状の係合部８ｂを備えたフィルタガイド部８ｃが連続形成されている。
【００２０】
上記の構成により、次にその動作について説明する。
例えばメンテナンス時には、図１（Ａ）および図２（Ａ）で示すように、前記吸込グリル８が前記吸込口５ａに装着されている状態で、被空調室の天井面に近接した前記吸込グリル８を取り外すことなく前記エアフィルタ９を取り外す際、同吸込グリル８を、図１（Ａ）で示す矢印Ａおよび図４のように上方に回動させて取り外すようにし、または、前記吸込グリル８を図１（Ｂ）で示す矢印Ｂのように前方にスライドさせ、その前端下部から図２（Ｃ）で示すように取り外すことができるのでメンテナンス時の作業性がよくなる。
【００２１】
また、前記フィルタガイド部８ｃに連続形成された係合部８ｂは、前記エアフィルタ９に連続形成された円柱状の凸部９ａに対応して、同凸部９ａの外周面に弾性変形しながら隙間なく係合する曲面状の係合片からなる構成となっており、これによって、前記凸部９ａが前記係合部８ｂに円滑に、且つ正確に係合されるようになっている。
【００２２】
なお、前記フィルタガイド部８ｃに連続形成された係合部８ｂは、図６（Ａ）および図７で示すように、前記フィルタガイド部８ｃとの間に切除部Ｃが形成されているので、前記円柱状の凸部９ａに係脱自在に係合するとき効果的に弾性変形できるようになっている。
【００２３】
また、前記係合部８ｂは、前記凸部９ａに対しこれを圧接するように係合するように形成されることにより、前記エアフィルタ９をガタつかせないよう強固に保持できるようになる。
【００２４】
【発明の効果】
以上説明したように、本発明によると、本体上面の吸込口に備えた吸込グリルを上方に回動させ、または前方にスライドさせてエアフィルタを円滑に挿脱できるようにすると共に、吸込グリルの裏面に連続形成されたフィルタガイド部に挿入したエアフィルタを容易に、且つ正確に位置決めして保持できるようにした空気調和機となる。
【図面の簡単な説明】
【図１】本発明による空気調和機の断面図で、（Ａ）は吸込グリルを装着した状態を示し、（Ｂ）は吸込グリルを前方にスライドさせた状態を示す。
【図２】本発明による空気調和機の斜視図で、（Ａ）は吸込グリルを装着した状態を示し、（Ｂ）は吸込グリルを前方にスライドさせた状態を示し、（Ｃ）はフィルタを取り出す着脱状態を示す。
【図３】本発明による空気調和機の要部分解斜視図である。
【図４】本発明による空気調和機の吸込グリルを上方に回動した状態を示す斜視図である。
【図５】上方に回動した吸込グリルの要部斜視図である。
【図６】本発明による空気調和機のエアフィルタを取り付けた状態を示す吸込グリルの説明図で、（Ａ）は背面側斜視図であり、（Ｂ）は（Ａ）で示すＤ部の拡大図である。
【図７】本発明による空気調和機の吸込グリルの背面側斜視図である。
【図８】従来例による空気調和機の断面図である。
【符号の説明】
１　熱交換器
２　送風ファン
３　ベース
４　後面部
４ａ　吸込桟
４ｂ　補助ガイド部
５　吸込桟
５ａ　吸込口
６　上面パネル
７　ガイド部
８　吸込グリル
８ａ　挿脱口
８ｂ　係合部
８ｃ　フィルタガイド部
９　エアフィルタ
９ａ　凸部
１０　吹出口
１１　下面パネル
１２　区画桟
１３　レール
１４　ガイド片
Ａ’　枢支部
Ｃ　切除部
【図１】
2004138310.tif 000003
【図２】
2004138310.tif 000004
【図３】
2004138310.tif 000005
【図４】
2004138310.tif 000006
【図５】
2004138310.tif 000007
【図６】
2004138310.tif 000008
【図７】
2004138310.tif 000009
【図８】
2004138310.tif 000010